(57)【要約】【課題】  複数の物品を収納する外装箱の内部に間仕切り材を配設するに際して、適切な工夫を施すことにより、各段毎に蓋を被せなくても、外装箱の長辺部の外側への膨らみを抑止できるようにして、複数段に亘る積み重ねを良好に行なえるようにする。【解決手段】  上面が開口した外装箱６の内部に、その内部を長辺部６ａの長手方向中間部で仕切り且つその両側にそれぞれ物品収納部５を形成する中央辺部４ａと、この中央辺部４ａの両端に略直角に連なるように折り曲げられ且つ一対の長辺部６ａにそれぞれ添うように並設された両側辺部４ｂとからなる間仕切り材４を配設し、長辺部６ａの長手方向中間部位と、間仕切り材４の側辺部４ｂの中央辺部４ａ寄り部位とを、挿脱自在な止め具１０により拘束保持した状態で、外装箱６を上下に密接させて複数段に積み重ねる。【選択図】図１
2005280801.tif 000002
【特許請求の範囲】
【請求項１】
上面が開口し且つ側面が一対の長辺部及び一対の短辺部からなる矩形箱状の外装箱の内部に、前記外装箱の内部を前記長辺部の長手方向中間部で仕切り且つその両側にそれぞれ物品収納部を形成する中央辺部と、該中央辺部の両端に略直角に連なるように同方向に折り曲げられ且つ前記外装箱の一対の長辺部にそれぞれ添うように並設された両側辺部とからなる間仕切り材を配設すると共に、
前記外装箱の長辺部の長手方向中間部位と、前記間仕切り材の側辺部の中央辺部寄り部位とを、挿脱自在な止め具により拘束保持した状態で、前記外装箱を上下に密接させて複数段に積み重ねたことを特徴とする物品包装体。
【請求項２】
前記間仕切り材を一対備えると共に、その一対の間仕切り材の中央辺部を背中合わせで重ね合わせ、且つその重ね合わせ部により仕切られた各物品収納部に、陰極線管用ガラスパネルをシールエッジ面が下向きの状態で１個ずつ収納したことを特徴とする請求項１に記載の物品包装体。
【請求項３】
前記止め具は、前記外装箱の長辺部の厚みと前記間仕切り材の側辺部の厚みとの総和に対応する距離だけ離間して相互に平行に配置された一対の挟持片と、この両挟持片の内面の相互間に介設され且つ上下方向に延びる係合片とを有すると共に、前記一対の挟持片が、前記外装箱の長辺部と前記間仕切り材の側辺部とを重ね合わせた状態でその両者の上部を外側から挟持し、且つ、前記係合片が、前記外装箱の長辺部と前記間仕切り材の側辺部との上部にそれぞれ形成された係合部に跨って係入するように構成されていることを特徴とする請求項１または２に記載の物品包装体。
【請求項４】
前記外装箱の長辺部と前記間仕切り材の側辺部との少なくとも一方の係合部は、前記止め具の係合片が摺接可能に係入されるスリットであることを特徴とする請求項３に記載の物品包装体。
【請求項５】
前記外装箱の長辺部と前記間仕切り材の側辺部との一方の係合部は、前記止め具の係合片が摺接可能に係入されるスリットであり、他方の係合部は、前記係合片が前記長辺部の長手方向に対して遊びをもって係入される係合凹部であることを特徴とする請求項３または４に記載の物品包装体。
【請求項６】
前記止め具は、前記一対の挟持片の上端を連結し且つ前記係合片の上方を覆う覆設片を有し、該覆設片は、前記外装箱の長辺部と前記間仕切り材の側辺部との上端にそれぞれ形成された底浅凹部に跨って嵌入するように構成されていることを特徴とする請求項３〜５の何れかに記載の物品包装体。
【請求項７】
上面が開口し且つ側面が一対の長辺部と一対の短辺部とからなる矩形箱状の外装箱の内部に、前記外装箱の内部を前記長辺部の長手方向中間部で仕切り且つその両側にそれぞれ物品収納部を形成する中央辺部と、該中央辺部の両端に略直角に連なるように同方向に折り曲げられ且つ前記外装箱の一対の長辺部にそれぞれ添うように並設された両側辺部とからなる間仕切り材を配設した状態で、前記外装箱を上下に密接させて複数段に積み重ねる際に、前記長辺部の長手方向中間部位と、前記間仕切り材の側辺部の中央辺部寄り部位とを拘束保持するために用いられる止め具であって、
前記外装箱の長辺部の厚みと前記間仕切り材の側辺部の厚みとの総和に対応する距離だけ離間して相互に平行に配置された一対の挟持片と、この両挟持片の内面の相互間に介設され且つ上下方向に延びる係合片と、前記一対の挟持片の上端を連結し且つ前記係合片の上方を覆う覆設片とを備えたことを特徴とする物品包装体の止め具。
【請求項８】
有機樹脂製であることを特徴とする請求項７に記載の物品包装体の止め具。
【発明の詳細な説明】
【技術分野】
【０００１】
本発明は、物品包装体及びその止め具に係り、詳しくは、外装箱の内部に中央辺部と両側辺部とからなる略コ字形に折り曲げられた間仕切り材を配設してなる物品包装体、及びその組立に使用される止め具に関する。
【背景技術】
【０００２】
従来より、複数の物品を梱包する包装体としては、多種類のものが公知となっているが、例えば複数の陰極線管用ガラスパネル（以下、単にパネルともいう）を梱包する際には、搬送時に割れや欠け等の発生を回避し得る工夫がなされた包装体が必要となる。
【０００３】
このような要請に応じたものとして、下記の特許文献１には、矩形箱状の外装箱の内部に、コ字形に折り曲げた２枚の間仕切り材を、各々の中央辺部を背中合わせで且つ背中合わせ部が外装箱の中央部を仕切る状態で配設してなる包装体が開示されている。この包装体は、複数のパネルを縦置き（立掛け状態）で収納する構成とされている関係上、上記の間仕切り材の対向する両側辺部には、複数のパネルの周縁部と当接して各パネルを支持する複数の縦長状凸部が形成されている。
【０００４】
この包装体によれば、外装箱の長手方向両端の端面に設けられた取っ手を把持して持ち上げた際に、外装箱の長辺部の長手方向中央部分が外側に膨らんだ場合であっても、間仕切り材の中央辺部（背中合わせ部）から両側辺部に至る部位には膨らみ等の変形が殆ど生じない。従って、各パネルが間仕切り材の縦長状凸部から離脱する不具合、及びこれに起因してパネル同士が衝突する等の不具合が効果的に回避される。
【０００５】
また、この種の梱包技術によれば、出荷時に外装箱を複数段（四段程度）に積み重ねるのが通例であるが、この積み重ねを行なう際には、外装箱の上方開口部に蓋が被せられる。この場合、下段の外装箱には、上段の外装箱から重量が作用して、特にその長辺部の長手方向中央部分に外側への膨らみ変形を生じさせる力が働くが、この膨らみ変形は外装箱の上端部に被せられた上述の蓋によって阻止されることになる。
【０００６】
一方、下記の特許文献２によれば、パネルをシールエッジ面が下向きとなる平置きで収納するように構成した包装体が開示されている。この包装体は、１つの箱体の内部に１個のパネルを収納するものであって、且つ複数段に箱体を積み重ねる際には、最上段の１つ手前の段の箱体までについては、各段の箱体の上に中蓋を被せ、最上段の箱体の上には上蓋を被せるように構成したものである。
【０００７】
【特許文献１】特開平７−２９１３７７号公報
【特許文献２】特開２００１−２６１０３２号公報
【発明の開示】
【発明が解決しようとする課題】
【０００８】
ところで、上記の特許文献１に開示されているように、外装箱を複数段に積み重ねる際に、各外装箱の上に蓋を被せていたのでは、作業性が極めて悪化するばかりでなく、全高が不当に高くなるおそれがあると共に、多量の梱包材が必要となり梱包費用の高騰を招くおそれもある。特に、上記の特許文献２に開示のように、パネルを平置きする場合には、１段の包装体に収納できるパネルの数が縦置きの場合に比して少なくなることから、多くの包装体を積み重ねる必要が生じるが、このような場合においてまで各段毎に蓋を被せていたのでは、上記の問題が一層顕著となる。
【０００９】
このような問題を回避するには、各段毎に蓋を被せなければよいことになるが、上記の特許文献１に開示のように、各段毎に複数のパネルを収納させる構成とした場合に、各段毎に蓋を被せなければ、図７（ａ）、（ｂ）に示すように、下段に存する外装箱６０の長辺部６０ａの長手方向中央部６０ａａ（その上部）が外側に膨らむ。このため、下段に存する長辺部６０ａ上端と、その上段に存する外装箱６０の長辺部６０ａ下端とが位置ズレを生じ、これに起因して、外装箱６を複数段に積み重ねることが困難或いは不可能になるという問題が生じる。このような問題は、１つの外装箱の内部に複数のパネルを平置きで収納させる要請がある場合にも同様に生じ得るのはもとより、既述のように平置きであるが故に、より多くの外装箱を積み重ねようとした場合には、一層深刻な問題となる。
【００１０】
一方、上記の特許文献２に開示のように、１つの包装体に１個のパネルを平置きで収納する構成においては、仮に各段毎に蓋を被せなくても、包装箱の長辺部の中央部が外側に膨らむという事態は殆ど生じない。しかしながら、このような構成であると、包装箱の箱数が不当に多くなって、嵩高になると共に、多量の梱包材の使用及びこれに起因する梱包費用の高騰等の根本的な問題を回避できないばかりでなく、１個の箱の底面積が小さいことから、高く積み上げようとした場合には、倒れを防止するための対策が別途必要になる等の新たな問題が生じる。
【００１１】
尚、以上のような問題は、上記例示したパネルに限らず、その大きさや重量が相応程度であれば、他の物品の包装体についても同様に生じ得る。
【００１２】
本発明は、上記事情に鑑みてなされたものであり、複数の物品を収納する外装箱の内部に間仕切り材を配設するに際して、適切な工夫を施すことにより、各段毎に蓋を被せなくても、外装箱の長辺部の外側への膨らみを抑止できるようにして、複数段に亘る積み重ねを良好に行なえるようにすることを技術的課題とする。
【課題を解決するための手段】
【００１３】
上記技術的課題を解決するためになされた本発明は、上面が開口し且つ側面が一対の長辺部及び一対の短辺部からなる矩形箱状の外装箱の内部に、前記外装箱の内部を前記長辺部の長手方向中間部で仕切り且つその両側にそれぞれ物品収納部を形成する中央辺部と、該中央辺部の両端に略直角に連なるように同方向に折り曲げられ且つ前記外装箱の一対の長辺部にそれぞれ添うように並設された両側辺部とからなる間仕切り材を配設すると共に、前記外装箱の長辺部の長手方向中間部位と、前記間仕切り材の側辺部の中央辺部寄り部位とを、挿脱自在な止め具により拘束保持した状態で、前記外装箱を上下に密接させて複数段に積み重ねたことを特徴とするものである。
【００１４】
この場合、外装箱の内部は、間仕切り材による仕切り箇所を長辺部の長手方向中央の１箇所として２つの物品収納部に仕切ることが好ましいが、間仕切り材による仕切り箇所を長辺部の長手方向中間部の２箇所以上として３つ以上の物品収納部に仕切るようにしてもよい。また、外装箱の長辺部及び短辺部の上端と下端とに、上下方向への凸部及び／又は凹部を形成し、下段の外装箱の凸部及び／又は凹部と、その上段の外装箱の凸部及び／又は凹部とが噛み合うように構成することが好ましい。更に、上記の止め具は、長辺部の長手方向中間部位と、間仕切り材の側辺部の中央辺部寄り部位との重なり部の上部を、上方から挿脱可能に挿し込んで覆うように構成されていることが好ましい。なお、外装箱及び間仕切り材は、紙製や樹脂製の段ボールで形成されていることが好ましい。
【００１５】
このような構成によれば、複数の物品が収納された外装箱を、蓋を被せることなく上下に密接させて積み重ねることにより、外装箱の長辺部における長手方向中間部（その上部）に外側に膨らむ力が発生しても、その長辺部の長手方向中間部位と、間仕切り材の側辺部の中央辺部寄り部位とが止め具により拘束保持されて、その長辺部が間仕切り材により補強された状態となっていることから、外装箱の長辺部が外側に膨らむという事態が好適に抑制される。すなわち、外装箱の長辺部の長手方向中間部に外側に膨らむ力が発生した場合には、間仕切り材の中央辺部に引張力が発生することになるが、この中央辺部は曲げ力に対する強度よりも引張力に対する強度の方が遥かに高いことから、間仕切り材における側辺部の中央辺部寄り部位と、外装箱の長辺部の長手方向中間部位とを止め具により拘束保持しておけば、外装箱の長辺部の外側への膨らみが間仕切り材の補強効果によって適切に抑制される。したがって、外装箱は各段毎に蓋を被せなくても、下段の長辺部上端と、その上段の長辺部下端との位置ズレが生じ難くなり、上面が開口した状態の外装箱を上下に密接させた状態で適正に積み重ねることができる。そして、このように各段毎に蓋を被せる必要がないことから、梱包作業の簡略化が図られることに加えて、物品包装体の全高を効果的に低くでき、しかも梱包材の少量化及び梱包費用の低廉化をも図ることが可能となる。尚、最上段の外装箱の上面には蓋を被せることが好ましい。更に、止め具は、外装箱の長辺部と間仕切り材の側辺部との重なり部分に対して挿脱自在であることから、物品包装体の組立作業及びその解体作業を容易に行なうことが可能となる。
【００１６】
上記の構成において、前記間仕切り材を一対備えると共に、その一対の間仕切り材の中央辺部を背中合わせで重ね合わせ、且つその重ね合わせ部により仕切られた各物品収納部に、陰極線管用ガラスパネルをシールエッジ面が下向きの状態で１個ずつ収納することが好ましい。
【００１７】
このようにすれば、間仕切り材の中央辺部が二重になることから、外装箱の長辺部の外側への膨らみを阻止する強度が高められ、より一層確実に長辺部の外側への膨らみが抑制されると共に、各物品収納部の全域に亘る強度も高められる。そして、各物品収納部には、パネルが平置きで収納されることから、１個の外装箱の高さが低くなるが、このような場合であっても、蓋を被せることなく、より多くの外装箱を積み重ねることができるため、物品包装体の全高を不当に高くすることなく、より多くのパネルを梱包することが可能となる。
【００１８】
以上の構成において、前記止め具は、外装箱の長辺部の厚みと間仕切り材の側辺部の厚みとの総和に対応する距離だけ離間して相互に平行に配置された一対の挟持片と、この両挟持片の内面の相互間に介設され且つ上下方向に延びる係合片とを有すると共に、前記一対の挟持片が、外装箱の長辺部と間仕切り材の側辺部とを重ね合わせた状態でその両者の上部を外側から挟持し、且つ、前記係合片が、外装箱の長辺部と前記間仕切り材の側辺部との上部にそれぞれ形成された係合部に跨って係入するように構成されていることが好ましい。
【００１９】
このようにすれば、止め具の一対の挟持片によって、外装箱の長辺部と間仕切り材の側辺部とが内外方向に離反することが規制されると同時に、止め具の係合片によって、外装箱の長辺部と間仕切り材の側辺部とが長手方向に相対移動することが規制され、長辺部と側辺部ひいては外装箱と間仕切り材とが止め具によって確実且つ強固に固定されることになる。
【００２０】
以上の構成において、前記外装箱の長辺部と間仕切り材の側辺部との少なくとも一方の係合部は、止め具の係合片が摺接可能に係入されるスリットであることが好ましい。
【００２１】
このようにすれば、止め具の係合片をスリットに挿し込むことによって、外装箱の長辺部と間仕切り材の側辺部とを拘束させる作業が完了し、作業の簡略化が図られると共に、一旦挿し込んだ止め具は容易に抜脱しないため、組み立てられた物品包装体の崩れ等を適切に抑止することが可能となる。
【００２２】
このような構成において、前記外装箱の長辺部と前記間仕切り材の側辺部との一方の係合部は、止め具の係合片が摺接可能に係入されるスリットであり、他方の係合部は、係合片が長辺部の長手方向に対して遊びをもって係入される係合凹部であることが好ましい。
【００２３】
このようにすれば、止め具を長辺部及び側辺部の一方のスリットに挿し込む際に、その他方の係合部との間で厳格な位置決めを行なう必要がなくなり、止め具の挿し込み作業が極めて簡易化される。
【００２４】
以上の構成において、前記止め具は、一対の挟持片の上端を連結し且つ係合片の上方を覆う覆設片を有し、該覆設片は、外装箱の長辺部と間仕切り材の側辺部との上端にそれぞれ形成された底浅凹部に跨って嵌入するように構成されていることが好ましい。
【００２５】
このようにすれば、止め具の長辺部及び側辺部に対する取り付けが強固になると共に、覆設片が底浅凹部に嵌入することにより、覆設片の上面が長辺部及び側辺部のそれぞれの上端から上方に突出しない状態とすることができ、外装箱を上下に密接させて積み重ねる際に、止め具が邪魔になるという不具合を好適に回避することができる。
【００２６】
また、上記技術的課題を解決するためになされた本発明は、上面が開口し且つ側面が一対の長辺部と一対の短辺部とからなる矩形箱状の外装箱の内部に、前記外装箱の内部を前記長辺部の長手方向中間部で仕切り且つその両側にそれぞれ物品収納部を形成する中央辺部と、該中央辺部の両端に略直角に連なるように同方向に折り曲げられ且つ前記外装箱の一対の長辺部にそれぞれ添うように並設された両側辺部とからなる間仕切り材を配設した状態で、前記外装箱を上下に密接させて複数段に積み重ねる際に、前記長辺部の長手方向中間部位と、前記間仕切り材の側辺部の中央辺部寄り部位とを拘束保持するために用いられる止め具であって、前記外装箱の長辺部の厚みと前記間仕切り材の側辺部の厚みとの総和に対応する距離だけ離間して相互に平行に配置された一対の挟持片と、この両挟持片の内面の相互間に介設され且つ上下方向に延びる係合片と、前記一対の挟持片の上端を連結し且つ前記係合片の上方を覆う覆設片とを備えたことを特徴とするものである。この場合、止め具は、長辺部の長手方向中間部位と、間仕切り材の側辺部の中央辺部寄り部位との重なり部の上部を、上方から挿脱可能に挿し込んで覆うように構成されていることが好ましい。
【００２７】
このような構成によれば、既に述べた事項と同様にして、外装箱の長辺部の長手方向中間部が外側に膨らむことを有効に抑制できる止め具が得られる。そして、この止め具を使用することによって、長辺部と側辺部ひいては外装箱と間仕切り材との拘束を確実且つ強固にでき、且つ組み付け作業を簡略化できる等の既に述べた種々の利点を享受することが可能となる。
【００２８】
この場合、上記止め具は、有機樹脂製であることが好ましい。この有機樹脂としては、特に熱可塑性樹脂が好適であり、具体的には、ポリカーボネイト等であってもよいが、ポリプロピレンであることがより好ましい。
【００２９】
このようにすれば、包装体に収納される物品が、例えばパネル等のガラス物品である場合には、止め具の方がパネル等よりも硬度が低くなるため、止め具の存在により物品に傷が付く等の不具合が適切に回避される。
【発明の効果】
【００３０】
以上のように本発明に係る物品包装体及びその止め具によれば、複数の物品が収納された外装箱を、蓋を被せることなく上下に密接させて積み重ねた場合に、その長辺部の長手方向中間部位と、間仕切り材の側辺部の中央辺部寄り部位とが止め具により拘束保持されて、その長辺部が間仕切り材（特にその中央辺部）によって補強された状態となっていることから、外装箱の長辺部の長手方向中間部が外側に膨らむという事態が好適に抑制される。したがって、外装箱は各段毎に蓋を被せなくても、下段の長辺部上端と、その上段の長辺部下端との位置ズレが生じ難くなり、上面が開口した状態の外装箱を上下に密接させた状態で適正に積み重ねることができる。そして、各段毎に蓋を被せる必要がないことから、梱包作業の簡略化が図られることに加えて、物品包装体の全高を効果的に低くでき、しかも梱包材の少量化及び梱包費用の低廉化をも図ることが可能となる。更に、止め具は、外装箱の長辺部と間仕切り材の側辺部との重なり部分に対して挿脱自在であることから、物品包装体の組立作業及びその解体作業を容易に行なうことが可能となる。なお、本発明は、１個の外装箱に複数（例えば２個）の陰極線管用ガラスパネルを収納し、そのような外装箱を複数段に積み重ねる場合に、特に好適である。
【発明を実施するための最良の形態】
【００３１】
以下、本発明の実施形態を添付図面を参照して説明する。
【００３２】
図１（ａ）は、本発明の実施形態に係る物品包装体を示す斜視図である。同図に示すように、この物品包装体１は、パレット２の上面に下蓋３を載置すると共に、この下蓋３の上面に、内部が間仕切り材４で２つの物品収納部５に仕切られた複数の外装箱６を積み重ね、最上段の外装箱６の上面に上蓋７を被せることにより構成される。この実施形態では、外装箱６が複数列（図例では３列）で且つ複数段（図例では７段）に積み重ねられている。なお、上記の下蓋３、外装箱６、間仕切り材４、及び上蓋７は、紙製または樹脂製の段ボールで形成されている。
【００３３】
図１（ｂ）は、最上段を除く段における１個の外装箱６の内部に間仕切り材４を配設した状態を示す斜視図である。同図に示すように、外装箱６は、上面が開口すると共に、底面６ｘが中央部分に開口部８を有し、且つ側面が一対の長辺部６ａと一対の短辺部６ｂとからなる矩形箱状を呈している。そして、この外装箱６の内部には、その内部を長手方向中央部で仕切り且つその両側にそれぞれ物品収納部５を形成する中央辺部４ａと、この中央辺部４ａの両端に略直角に連なるように同方向に折り曲げられ且つ一対の長辺部６ａにそれぞれ添うように並設された両側辺部４ｂとからなる一対の間仕切り材４が配設されている。詳述すると、この一対の間仕切り材４は、両者の中央辺部４ａが背中合わせで重ね合わせられ、且つそれらの中央辺部４ａにより仕切られた各物品収納部５に、陰極線管用ガラスパネル（図示略）がシールエッジ面を下向きにした平置きの状態で１個ずつ収納される構成である。なお、この実施形態では、間仕切り材４の両側辺部４ｂは、外装箱６のコーナー部まで延びており、この両側辺部４ｂのコーナー部周辺が、外装箱６の短辺部６ｂに添うように並設されたコ字形の補強材９の両耳部９ａと、外装箱６の長辺部６ａとの間に挟持されている。
【００３４】
更に、外装箱６の一方の長辺部６ａにおける長手方向中間部位（中央辺部寄りの部位）と、一方の間仕切り材４における一方の側辺部４ｂの中央辺部４ａ寄りの部位とは、その両部位の上端部を挟持する止め具１０によって拘束保持されると共に、外装箱６の他方の長辺部６ａにおける長手方向中間部位（中央部寄りの部位）と、他方の間仕切り材４における他方の側辺部４ｂの中央辺部４ａ寄りの部位とについても、その両部位の上端部を挟持する止め具１０によって拘束保持されている。この場合、止め具１０によって上記の両部位が拘束保持されている箇所は、外装箱６の長辺部６ａの長手方向中央部が、間仕切り材４の中央辺部４ａによって補強可能な位置とされている。また、最上段の外装箱６についても、同様の部位が止め具１０で拘束保持されている（図１（ａ）参照）。尚、この実施形態では、１個の外装箱６について２箇所を止め具１０で拘束保持させたが、一方の間仕切り材４の両側辺部４ｂ及び他方の間仕切り材４の両側辺部４ｂにおけるそれぞれの中央辺部４ａ寄りの部位と、外装箱６の両側の長辺部６ａにおける長手方向中間部位との計４箇所を、止め具１０で拘束保持させるようにしてもよい。
【００３５】
図２は、上記の外装箱６と間仕切り材４とを示す部品分解配列斜視図である。同図に示すように、外装箱６の両長辺部６ａにおけるそれぞれの上端の２箇所と、両短辺部６ｂにおけるそれぞれの上端の１箇所とには、舌片状の凸部６ｃが形成されると共に、これらの長辺部６ａ及び短辺部６ｂの対応する下端には、同形状の凹部６ｄが形成されている。そして、下段の外装箱６の凸部６ｃに、その上段の外装箱６の凹部６ｄが嵌合される構成とされている。更に、外装箱６の両長辺部６ａにおけるそれぞれの上端の１箇所には、係合部としてのスリット１１が形成されると共に、両間仕切り材４の対応する上端には、スリット１１よりも幅（長辺部６ａの長手方向の幅）が広い係合凹部１２が形成されている。そして、一方のスリット１１と一方の係合凹部１２とに対して１個の止め具１０が係入され、他方のスリット１１と他方の係合凹部１２とに対しても１個の止め具１０が係入される構成とされている。
【００３６】
上記の外装箱６及び間仕切り材４は、次のようして製作される。すなわち、外装箱６については、図３（ａ）に示すように、所定形状に切り抜いたベース材１３を、一方の長辺部６ａと底面６ｘの一部分との境界をなす横方向に延びる点線Ａ、及び一方の短辺部６ｂと底面６ｘの一部分との境界をなす横方向に延びる点線Ｂに沿って直角に折り曲げると共に、一方の長辺部６ａと一方の短辺部６ｂとの境界をなす縦方向に延びる点線Ｃ、及び一方の短辺部６ｂと糊代部６ｅとの境界をなす縦方向に延びる点線Ｄに沿って直角に折り曲げる。これにより、外装箱６の半分が製作され、同様の手順で外装箱６の他の半分を形成した後、両者の糊代６ｅを両長辺部６ａの端縁に貼着することにより、外装箱６の製作が完了する。この場合、長辺部６ａの上端における２つの凸部６ｃの相互間に形成されたスリット１１の上端にはＶ溝１４が形成されると共に、このＶ溝１４は、長辺部６ａの上端縁に形成された底浅凹部１５の底面における幅方向一部領域から下方に向かって形成されている（詳細は、図６参照）。
【００３７】
一方、間仕切り材４については、図３（ｂ）に示すように、略矩形のベース材１６の幅方向中央に、一方の間仕切り材４と他方の間仕切り材４との境界をなす横方向に延びる直線Ｅでなる切断部を形成し、両間仕切り材４における両中央辺部４ａの境界の一部に点線Ｆでなる半切部を形成しておく。そして、このベース材１６を半切部Ｆに沿って１８０°折り曲げると共に、一方の間仕切り材４の両側辺部４ｂを点線Ｇに沿って一方側に直角に折り曲げ、且つ他方の間仕切り材４の両側辺部４ｂを点線Ｈに沿って他方側に直角に折り曲げることにより、Ｈ字形をなす一対の間仕切り材４の製作が完了する。この場合、長辺部６ａにおける中央辺部４ａの近傍の上端部には、上方が拡開する台形状の係合凹部１２が形成されると共に、この係合凹部１２は、長辺部６ａの対応する上端縁に形成された底浅凹部１７の底面における幅方向一部領域から下方に向かって形成されている（詳細は、図６参照）。
【００３８】
図４及び図５（ａ１）、（ａ２）は、この実施形態で使用される止め具１０を例示するものである。尚、図４には、便宜上、実際の使用状態とは上下を逆にして止め具１０を図示している。これらの図に示すように、止め具１０は、外装箱６の長辺部６ａの厚みと間仕切り材４の側辺部４ｂの厚みとの総和に対応する距離だけ離間して相互に平行に配置された一対の挟持片１０ａと、この両挟持片１０ａの内面の相互間に介設され且つ上下方向に延びる係合片１０ｂと、両挟持片１０ａの上端を連結し且つ係合片１０ｂの上方を覆う覆設片１０ｃとを備えている。この場合、両挟持片１０ａは略三角形状を呈しており、その底辺側に、平板状の覆設片１０ｃが連結されると共に、その頂部位置に、平板状の係合片１０ｂの先端位置が略合致している。そして、係合片１０ｂは、両挟持片１０ａ及び覆設片１０ｃの何れに対しても直角に配設され、且つその上端は覆設片１０ｃに連結されている。尚、この止め具１０は、有機樹脂の中のポリプロピレンで形成されており、挟持片１０ａの厚みが１ｍｍ、係合片１０ｂの厚みが１．５ｍｍ、覆設片１０ｃの厚みが２ｍｍとされている。
【００３９】
尚、止め具１０は、上記の形態に限定されるわけではなく、例えば以下に示すような形態であってもよい。すなわち、図５（ｂ１）、（ｂ２）に示す止め具１０は、係合片１０ｂの先端部を肉厚方向において先細り状として鋭利な形態としたものである。また、図５（ｃ１）、（ｃ２）に示す止め具１０は、係合片１０ｂの先端に、上方に移行するに連れて係合片１０ｂの片面から離反する抜け止め用の薄片１０ｄを形成したものである。更に、図５（ｄ１）、（ｄ２）に示す止め具１０は、係合片１０ｂを幅方向において複数（図例では２個）に分離すると共に、それらの先端部を幅方向及び肉厚方向の両方向において先細り状としたものである。
【００４０】
上記の図４及び図５（ａ１）、（ａ２）に示す止め具１０を例にとると、図６に示すように、外装箱６の長辺部６ａと間仕切り材４の側辺部４ｂとを重ね合わせることにより、長辺部６ａのスリット１１を側辺部４ｂの係合凹部１２の領域内に位置させた状態で、止め具１０をその上方から挿し込めば、長辺部６ａの長手方向中央部近傍と側辺部４ｂの中央辺部４ａ近傍とが拘束保持される。具体的には、止め具１０を上方から押圧することにより、その一対の挟持片１０ａが、長辺部６ａと側辺部４ｂとの重なり部を両側方から挟持した状態で、その係合片１０ｂが、長辺部６ａのＶ溝１４を通じてスリット１１内に摺動しながら係入される。この場合、係合片１０ｂは、側辺部４ｂの係合凹部１２に遊びをもって（側辺部４ｂの長手方向に遊びをもって）係入されるため、側辺部４ｂと長辺部６ａとがその長手方向に許容範囲内の相対的な位置ズレを生じていても、止め具１０を良好に挿し込むことができる。そして、止め具１０の挿し込みが完了した時点で、その覆設片１０ｃは、側辺部４ｂ及び長辺部６ａの底浅凹部１５、１７に嵌め込まれ、これにより、覆設片１０ｃの上面と、側辺部４ｂ及び長辺部６ａの上端面とが面一または略面一の状態となる。このような止め具１０の挿し込み作業が、１個の外装箱６について既述の２箇所で行なわれることにより、長辺部６ａの長手方向中央部近傍の上部と、側辺部４ｂの中央辺部４ａ近傍の上部とが、適切に拘束保持される。尚、図５（ｂ１）〜（ｄ２）に示す止め具１０は、長辺部６ａに予めスリット１１が形成されていなくても、これらの止め具１０の係合片１０ｂを長辺部６ａに挿し込むことにより、長辺部６ａが係合辺１０ｂによって切り裂かれてスリット１１が形成されることになるから、最終形態としては、上記と同様に、長辺部６ａに形成されたスリット１１に係合片１０ｂが係入された状態となる。
【００４１】
この結果、図１（ａ）に示す物品包装体１のように、外装箱６を複数段に積み重ねた場合であっても、長辺部６ａの長手方向中央部近傍の外側への膨らみが抑制され、同図に示すように、各段毎に蓋を被せなくても、外装箱６は上下に密接した状態で積み重ねられる。この場合、物品包装体１における外装箱６の長辺部６ａに沿う方向の位置ズレや荷崩れは、各長辺部６ａの凹部６ｄと凸部６ｃとの嵌合により阻止され、また外装箱６の短辺部６ｂに沿う方向の位置ズレや荷崩れは、各短辺部６ｂの凹部６ｄと凸部６ｃとの嵌合により阻止される。
【００４２】
尚、以上の実施形態では、外装箱６の長辺部６ａにスリット１１が形成され、間仕切り材４の側辺部４ｂに相対的に幅広の係合凹部１２が形成される構成としたが、これとは逆に、側辺部４ｂにスリット１１が形成され、長辺部６ａに係合凹部１２が形成される構成であってもよい。
【００４３】
また、以上の実施形態では、１個の外装箱６の内部に２個の物品（陰極線管用ガラスパネル）を収納する物品包装体１に本発明を適用したが、１個の外装箱６に３個以上の物品を収納する物品包装体１に本発明を適用することも可能である。
【図面の簡単な説明】
【００４４】
【図１】図１（ａ）は、本発明の実施形態に係る物品包装体を示す斜視図、図１（ｂ）は、その構成要素である１個の外装箱の内部に間仕切り材を配設した状態を示す斜視図である。
【図２】本発明の実施形態に係る物品包装体の構成要素である外装箱と間仕切り材とを示す部品分解配列斜視図である。
【図３】図３（ａ）は、本発明の実施形態に係る物品包装体の構成要素である外装箱の一部展開図、図３（ｂ）は、同じくその構成要素である間仕切り材の展開図である。
【図４】本発明の実施形態に係る物品包装体の止め具を示す斜視図である。
【図５】図５（ａ１）は、本発明の実施形態に係る物品包装体の止め具の第１の例を示す正面図、図５（ａ２）は、その側面図、図５（ｂ１）は、本発明の実施形態に係る物品包装体の止め具の第２の例を示す正面図、図５（ｂ２）は、その側面図、図５（ｃ１）は、本発明の実施形態に係る物品包装体の止め具の第３の例を示す正面図、図５（ｃ２）は、その側面図、図５（ｄ１）は、本発明の実施形態に係る物品包装体の止め具の第４の例を示す正面図、図５（ｄ２）は、その側面図である。
【図６】本発明の実施形態に係る物品包装体の止め具の使用方法を示す説明図である。
【図７】図７（ａ）は、従来の問題点を示す斜視図、図７（ｂ）は、従来の問題点を示す概略縦断正面図である
【符号の説明】
【００４５】
１  物品包装体
４  間仕切り材
４ａ  中央辺部
４ｂ  側辺部
５  物品収納部
６  外装箱
６ａ  長辺部
１０  止め具
１０ａ  挟持片
１０ｂ  係合片
１０ｃ  覆設片
１１  スリット（係合部）
１２  係合凹部（係合部）
１５  底浅凹部
１７  底浅凹部
【図１】
2005280801.tif 000003
【図２】
2005280801.tif 000004
【図３】
2005280801.tif 000005
【図４】
2005280801.tif 000006
【図５】
2005280801.tif 000007
【図６】
2005280801.tif 000008
【図７】
2005280801.tif 000009